(57)【要約】  【課題】  様々な場所で簡便に使用できる心電計を提供する。  【解決手段】  心電計１は、携帯可能な大きさの筐体１１を有するものであり、その表面には、正電極１３および負電極１５と、ＧＮＤ電極１７と、液晶表示部１９と、４つのＬＥＤ表示部２１（２１ａ〜２１ｄ）と、操作部２３とが配置されている。正電極１３および負電極１５は衣服の上からでも心電信号の計測が可能な容量性結合型電極である。その表面は平面状であり、各電極はその表面が筐体１１の裏側面１１ｂとほぼ同一の平面上に位置するように配置されている。ＧＮＤ電極１７は、正電極１３および負電極１５の心電信号の基準電位を取得する電極であり、筐体１１の表面全体がＧＮＤ電極１７として構成される。【選択図】図１
2014223184.tif 000002
【特許請求の範囲】
【請求項１】
筐体（１）と、
前記筐体の表面に配置される第１の容量性結合型電極（１３）および第２の容量性結合型電極（１５）と、
前記第１の容量性結合型電極および前記第２の容量性結合型電極の差動信号を心電信号として取り出す心電取得手段（２９、Ｓ１）と、を備える
ことを特徴とする心電計。
【請求項２】
前記筐体の姿勢を検出する姿勢検出手段（３５）と、
前記姿勢検出手段から検出された姿勢に基づいて、心電計測の誘導を識別する識別手段（２９、Ｓ４）と、を備える
ことを特徴とする請求項１に記載の心電計。
【請求項３】
前記心電取得手段により取得された心電信号の信頼性の度合を判定する判定手段（２９、Ｓ６）と、
前記筐体の表面に配置され、前記判定手段により判定された信頼性の度合に応じた表示を行う情報表示手段（１９、２１、Ｓ８、Ｓ９）と、を備える
ことを特徴とする請求項１または請求項２に記載の心電計。
【請求項４】
前記判定手段は、前記姿勢検出手段により検出された姿勢が所定の姿勢であるときに、前記検出された姿勢が前記所定の姿勢でないときよりも前記信頼性を高く判定する
ことを特徴とする請求項２を引用する請求項３に記載の心電計。
【請求項５】
前記筐体の動きを検出する動作検出手段（３５）を備え、
前記判定手段は、前記動作検出手段により検出された前記筐体の動きが小さいほど、前記信頼性を高く判定する
ことを特徴とする請求項３または請求項４に記載の心電計。
【請求項６】
前記筐体の表面に配置され、被測定者に所定の交流電圧を印加する電圧印加手段（１７、３３）と、
前記第１の容量性結合型電極および前記第２の容量性結合型電極から取得される信号の電位と、前記電圧印加手段により印加された印加電圧の電位と、に基づいて、前記第１の容量性結合型電極と被測定者との間のソースインピーダンス、および前記第２の容量性結合型電極と被測定者との間のソースインピーダンスを計測するソースインピーダンス計測手段（２９、Ｓ５）と、を備える
ことを特徴とする請求項１から請求項５のいずれか１項に記載の心電計。
【請求項７】
前記判定手段は、前記ソースインピーダンス計測手段により計測されたソースインピーダンスが小さいほど、前記信頼性を高く判定する
ことを特徴とする請求項３を引用する請求項６に記載の心電計。
【請求項８】
当該心電計は前記情報表示手段を複数備えており、複数の前記情報表示手段は前記筐体の表面において互いに表示方向を異ならせて配置される
ことを特徴とする請求項３および請求項３を引用する請求項４から請求項７のいずれか１項に記載の心電計。
【請求項９】
前記筐体の姿勢を検出する姿勢検出手段（３５）と、
前記姿勢検出手段から検出された姿勢に応じた所定の前記情報表示手段に、情報の表示を行わせる表示制御手段（２９、Ｓ８）と、を備える
ことを特徴とする請求項８に記載の心電計。
【請求項１０】
前記筐体の表面に配置される第３の電極を備え、
前記心電取得手段は、前記第３の電極が検出する電位を基準電位として前記第１の容量性結合型電極および前記第２の容量性結合型電極の差動信号を心電信号として取り出す
ことを特徴とする請求項１から請求項９のいずれか１項に記載の心電計。
【発明の詳細な説明】
【技術分野】
【０００１】
本発明は心電計に関する。
【背景技術】
【０００２】
日常における胸部痛みや動悸等の異常を感じたときに、その場で心電図を計測することができれば、後に心電波形をチェックして医師の診断や治療に活用することができる。近年、機器表面の金属電極に手を接触させたり金属電極を胸部または腹部に直接押し当てて心電波形を計測する携帯型の心電計が提案されている（特許文献１参照）。
【先行技術文献】
【特許文献】
【０００３】
【特許文献１】特開２００５−４６８号公報
【発明の概要】
【発明が解決しようとする課題】
【０００４】
胸部で心電波形を測定したい場合など、特許文献１の心電計では服を捲り上げる必要があり、人前で使用することに抵抗がある場合があった。
本発明の目的は、様々な場所で簡便に使用できる心電計を提案することである。
【課題を解決するための手段】
【０００５】
上述した問題を解決するためになされた請求項１に記載の心電計は、筐体（１）の表面に、第１の容量性結合型電極（１３）と、第２の容量性結合型電極（１５）と、を配置するものであって、第１の容量性結合型電極および第２の容量性結合型電極の差動信号を心電信号として取り出す心電取得手段（２９）を備えることを特徴とする心電計である。
【０００６】
このように構成された心電計は、容量性結合型電極を用いて心電信号を取得することができるため、心電信号を取得するために電極を胸部などに直接接触させる必要がなく、衣服などの上から使用することができる。したがって、様々な場所において簡便に心電計を使用することができる。
【０００７】
容量性結合型電極の数は少なくとも２つ以上あればよく、３つ以上であってもよい。また第３の電極としてグランド（ＧＮＤ）電極を備えていてもよい。容量性結合型電極は接触型の電極と比較するとノイズが乗り易くなるが、筐体の表面に配置したＧＮＤ電極の電位を基準電位として第１の容量性結合型電極および第１の容量性結合型電極の電位を取得することで、ノイズを低減して高精度な心電計測を行うことができる。ＧＮＤ電極は例えば心電計測時に手で持つことが想定される場所に配置することが考えられる。
【０００８】
なお上記心電計を、筐体の姿勢を検出すると共に、その姿勢に基づいて、心電計測の誘導を識別するように構成してもよい。筐体の姿勢とは例えば鉛直方向を基準とした３次元的な傾斜角度といえる。また誘導とは例えば胸の正面に各電極を当てた状態での回転角度といえる。誘導を識別することで、心電計の各電極の人体に対する接触位置を誤ったり接触位置がずれたりしたことを認識できる。よって、例えば誘導が適当でない場合に音声や表示器を用いて適当な位置への案内を行ったり、計測した心電図がどのような誘導で計測したものであるかを知ることができる。
【０００９】
また上記心電計を、心電計測の信頼性の度合を判定すると共に、筐体の表面に配置され、判定された信頼性の度合に応じた表示を行う情報表示手段を備えるように構成してもよい。このように構成された心電計であれば、被測定者が情報表示手段の表示を見て計測方法を修正することができる。
【００１０】
信頼性の判定方法としては、例えば、筐体の姿勢（誘導）、筐体の動き（静止の度合）、容量性結合型電極のソースインピーダンス、および心電波形のＲ波高などに基づいて判定することが考えられる。筐体の姿勢や筐体の動きは例えば３軸加速度センサにより計測できる。ソースインピーダンスは、例えば容量性結合型電極とは異なる電極（例えばＧＮＤ電極）から既知電圧を印加して、容量性結合型電極にて検出される残留電位から計測できる。
【００１１】
なお、この欄および特許請求の範囲に記載した括弧内の符号は、一つの態様として後述する実施形態に記載の具体的手段との対応関係を示すものであって、本発明の技術的範囲を限定するものではない。
【図面の簡単な説明】
【００１２】
【図１】実施例の心電図を示す図であって、（Ａ）が正面図であり、（Ｂ）が右側面図であり、（Ｃ）が左側面図であり、（Ｄ）が平面図であり、（Ｅ）が背面図であり、（Ｆ）が底面図である。
【図２】心電図の構成を示すブロック図である。
【図３】心電図の回路図である。
【図４】心電検出処理の処理手順を示すフローチャートである。
【図５】筐体とｘ軸、ｙ軸、ｚ軸の方向の関係を説明する図である。
【図６】誘導の識別方法を説明する図である。
【発明を実施するための形態】
【００１３】
以下に本発明の実施例を図面と共に説明する。
［実施例］
（１）全体構成
本実施例の心電計１は、図１に示すように、携帯可能な大きさの筐体１１を有するものであり、その表面には、正電極１３および負電極１５と、グランド（ＧＮＤ）電極１７と、液晶表示部１９と、４つのＬＥＤ表示部２１（２１ａ〜２１ｄ）と、操作部２３とが配置されている。
【００１４】
筐体１１は表側面１１ａおよび裏側面１１ｂが広く形成された板状の略直方体であって、金属製であり導電性を有する。
正電極１３および負電極１５は衣服の上からでも心電信号の計測が可能な容量性結合型電極である。その表面は平面状であり、各電極はその表面が筐体１１の裏側面１１ｂとほぼ同一の平面上に位置するように配置されている。
【００１５】
ＧＮＤ電極１７は、正電極１３および負電極１５の心電信号の基準電位を取得する電極である。被測定者の手などが確実に接触するように、筐体１１の表面全体がＧＮＤ電極１７として構成される。即ち筐体１１表面における正電極１３、負電極１５、液晶表示部１９、ＬＥＤ表示部２１、および操作部２３以外の部分はＧＮＤ電極１７となる。
【００１６】
液晶表示部１９は、画像情報を表示する液晶ディスプレイである。ＬＥＤ表示部２１ａ〜２１ｄは、それぞれ筐体１１の異なる面において、表示方向を異ならせて配置されている。操作部２３はいわゆるスイッチであって、心電計１を起動させる際に押下する。
【００１７】
なお、正電極１３および負電極１５が本発明における第１の容量性結合型電極および第２の容量性結合型電極の一例であり、液晶表示部１９およびＬＥＤ表示部２１が本発明における情報表示手段の一例である。
【００１８】
次に、心電計１の構成を図２に示すブロック図に基づいて説明する。図２における破線で囲まれる部分は筐体１１の内部に配置される構成である。筐体１１は、その内部にＣＰＵ２９、検出回路部３１、印加電圧駆動部３３、加速度センサ３５、ＡＤ変換部３７、音声出力部３９、記録部４１、通信部４３、電源部４５を備える。
【００１９】
ＣＰＵ２９は心電計１全体を統轄制御する。例えば、正電極１３および負電極１５の差動信号を心電信号として取り出す処理や、正電極１３、負電極１５、および加速度センサ３５からの入力信号に基づいて心電計測の信頼性を判定し、その判定結果に応じて液晶表示部１９やＬＥＤ表示部２１に所定の表示を行わせる処理などを行う。これらの処理の詳細については後述する。
【００２０】
なおこのＣＰＵ２９が、本発明における心電取得手段、識別手段、判定手段、ソースインピーダンス計測手段、表示制御手段の一例である。
検出回路部３１は、差動アンプ、アナログフィルター等を有しており、正電極１３、負電極１５、およびＧＮＤ電極１７から入力される信号の増幅およびノイズ除去を行い、ＡＤ変換部３７に出力する。
【００２１】
印加電圧駆動部３３は、心電計１の被測定者に所定の交流電圧を印加するための交流電圧生成回路を有している。生成された交流電圧はＧＮＤ電極１７より被測定者に出力され、正電極１３および負電極１５を介して心電計１に戻る。ここで印加される電圧を、以降、単に既知印加電圧と記載する。なおこの印加電圧駆動部３３とＧＮＤ電極１７が、本発明における電圧印加手段の一例である。
【００２２】
加速度センサ３５は筐体１１の姿勢と筐体１１の動きとを検出する３軸加速度センサである。なお、筐体１１の姿勢と動きと検出できるセンサであれば３軸加速度センサに限らず様々なセンサを用いることができる。筐体１１の姿勢とは、例えば鉛直方向に対する筐体１１の３次元的な角度と言える。なおこの加速度センサ３５が、本発明における姿勢検出手段および動作検出手段の一例である。
【００２３】
ＡＤ変換部３７は、正電極１３、負電極１５、ＧＮＤ電極１７、加速度センサ３５から入力される信号をデジタル変換してＣＰＵ２９に出力する。また、ＣＰＵ２９の指令に応じて印加電圧駆動部３３を動作させる。
【００２４】
音声出力部３９は、筐体１１内部に備えられるスピーカであり、音声信号を出力する。
記録部４１は、取得した心電図やその心電波形におけるＲ波高、そのときの誘導（筐体１１の姿勢を示す３軸加速度情報）などの情報を記録する。また、過去に良好に取得した心電波形のＲ波高の平均値や、過去に良好に心電図が計測できた誘導の情報なども記憶されている。
【００２５】
通信部４３は、図示しないサーバ装置への情報転送を無線により行う。電源部４５は、ＣＰＵ２９始め心電計１の各部に電力を供給する。
次に、心電計１と被測定者との間の信号の流れを図３に基づいて説明する。なお図３の回路図は被測定者が筐体１１を手で掴んで正電極１３、負電極１５を衣服の上から胸部に当てた状態である。
【００２６】
心電Ｖｄの出力信号は、正電極１３、負電極１５を介して入力され、オペアンプ５１、抵抗５３、オペアンプ５５などを有する検出回路部を経由してＡＤ変換部３７に出力される。人体と正電極１３、負電極１５の間には衣服が存在しているが、衣服の種類や厚さは心電計測ごとに異なる可能性があるため、人体と正電極１３、負電極１５の間のソースインピーダンスは変化しやすい。
【００２７】
また印加電圧駆動部３３からはＧＮＤ電極１７を介して既知印加電圧が印加される。この既知印加電圧も人体を経由して正電極１３および負電極１５から取得されＡＤ変換部３７に出力される。
【００２８】
（２）ＣＰＵによる処理
ＣＰＵ２９が実行する心電検出処理を、図４に示すフローチャートに基づいて説明する。この処理は、操作部２３が押下されたときに実行される。
【００２９】
本処理では、まず、正電極１３および負電極１５の差動信号から心電図を計測する（Ｓ１）。次に、Ｓ１で計測した心電図を解析し、心電波形のＲ波高を取得する（Ｓ２）。
次に、加速度センサ３５の出力信号から軸加速度を計測する（Ｓ３）。この３軸加速度に基づいて、筐体１１の姿勢を示す姿勢情報と筐体１１の動きを示す動作情報とを検出することができる。
【００３０】
次に、Ｓ３にて検出した姿勢情報に基づいて、被測定者の姿勢および誘導を識別する（Ｓ４）。図５に示すように、筐体１１において正電極１３および負電極１５が並ぶ方向をｙ軸方向、それらの電極が配置された面と直交する方向をｚ軸方向、ｙ軸およびｚ軸と直交する方向をｘ軸方向とする。
【００３１】
加速度センサ３５のｚ軸の出力に基づいて、被測定者の上半身が起きている状態か、寝ている状態か、または上半身が傾いている状態か、をおおよそ判別できる。例えば心電信号が取得可能な状態においてｚ軸の出力値がＺ≒±１Ｇのときは地面に対して筐体１１の裏側面１１ｂが水平であり、Ｚ≒±０Ｇのときは地面に対して裏側面１１ｂが垂直と判別できる。
【００３２】
被測定者の上半身が直立した状態で正電極１３および負電極１５を胸部に当てると筐体１１の裏側面１１ｂは垂直になる。また図６（Ａ）〜（Ｃ）に示すように、加速度センサ３５のｘ軸の出力とｙ軸の出力とから、ｚ軸を回転軸としたときの回転角度を判別できる。
【００３３】
即ち、上半身が傾斜した状態も含めて被測定者の上半身が立った姿勢である場合には、上方向が頭部の存在する位置であると推定できるため、どのような誘導であるかを識別できる。
【００３４】
次に、ＧＮＤ電極１７から印加された既知印加電圧の電位と、正電極１３および負電極１５から取得される既知印加電圧の残留電位と、に基づいて、正電極１３と被測定者との間のソースインピーダンス、および負電極１５と被測定者との間のソースインピーダンスを計測する（Ｓ５）。
【００３５】
次に、心電計測の信頼性の判定を行う（Ｓ６）。ここでは、以下の（イ）〜（ニ）の４通りの判定を行い、それら結果に基づいて心電計測の信頼性が良好（信頼性の度合が高いか）であるか、信頼性が良好でない（信頼性の度合が低い）ため再計測を促すか、を決定する。
【００３６】
（イ）Ｒ波高
上記Ｓ２にて取得したＲ波高に基づき、そのＲ波高が所定の高さ以上であれば心電計測の信頼性が高いと判定する。一方、Ｒ波高が所定の高さ未満であれば信頼性が低いと判定する。判定の閾値となる上述した所定の高さは、様々な値を用いることができるが、予め定められた固定の値であってもよいし、過去の心電計測履歴から求められる値（例えば、過去に良好に取得した心電波形のＲ波高の平均値の８０％）としてもよい。
【００３７】
（ロ）筐体１１の動作
上記Ｓ３にて取得した動作情報は、筐体１１の静止の度合を示す情報であるとも言える。筐体１１が静止していなければ接触状態が不安定になったりノイズが乗ったりして心電計測の信頼性は低下するが、例えば被測定者が異常状態であるときや高齢者である場合など、手や体の震えなどにより筐体１１が静止しないタイミングが生じる可能性がある。
【００３８】
よって、筐体１１の動きの度合が所定の閾値以下であれば心電計測の信頼性が高いと判定する。一方、動きの度合が所定の閾値を超えて高ければ信頼性が低いと判定する。
（ハ）誘導
上記Ｓ４にて識別した誘導が、心電計測を良好に行うことができる誘導であると予め定められた誘導、または、過去の心電計測履歴から導かれる良好に心電図を計測した誘導と近ければ、良好に心電信号を計測できる可能性が高い。また、心電計測の誘導を統一しておけば、後の診断や治療での心電図の利便性を高めることができる。
【００３９】
よって、筐体１１の姿勢が予め定められた基準姿勢から所定の角度範囲内に含まれる場合に心電計測の信頼性が高いと判定する。一方、筐体１１の姿勢がその角度範囲に含まれない場合に信頼性が低いと判定する。
【００４０】
（ニ）ソースインピーダンス
上記Ｓ５にて計測したソースインピーダンスが大きくなると心電計測の精度が低くなる。よって、各電極のソースインピーダンスの値が所定の閾値以下であれば心電計測の信頼性が高いと判定する。一方、いずれかの電極のソースインピーダンスの値が所定の閾値を超える場合には信頼性が低いと判定する。
【００４１】
このＳ６では、上記の（イ）〜（ニ）の全ての項目を判定し、全ての項目において信頼性が高いと判定されたときに心電計測の信頼性が良好であると判定する。一方、いずれかにおいて信頼性が低いと判定されたときに信頼性が不良であると判定する。
【００４２】
そしてＳ６の結果、信頼性が良好と判断されていなければ（Ｓ７：ＮＯ）、測定不良の表示を行う（Ｓ８）。
ここでは、ＬＥＤ表示部２１に点滅を行わせると共に、液晶表示部１９に問題点や解決策を画像表示させ、音声出力部３９にその内容を説明する音声を発生させる。画像表示および音声にて出力される内容とは上記（イ）〜（ニ）に応じたものである。
【００４３】
例えば（イ）で信頼性が低いと判定された場合には「正しく心電図が計測できません」と出力し、（ロ）で信頼性が低いと判定された場合には「心電計を静止させて下さい」と出力する。また（ハ）で信頼性が低いと判定された場合には「心電計の向きを変えて下さい」と出力し、（ニ）で信頼性が低いと判定された場合には「衣服が厚すぎます」などと出力する。また信頼性が低いと判定された項目に応じて、ＬＥＤ表示部２１の点滅の色（例えば赤、黄、橙等）や点滅の間隔を変化させる。
【００４４】
またこのとき、筐体１１の姿勢に応じて、ＬＥＤ表示部２１ａ〜２１ｄのうち点滅表示を行うものが選択される。具体的には、被測定者の上半身が立っている場合には、被測定者が確認できる位置、即ち上側に位置するＬＥＤ表示部２１が点滅表示を行う。一方、被測定者が寝ている場合には、全てのＬＥＤ表示部２１が点滅表示を行う。
【００４５】
またＳ６の結果、信頼性が良好と判断されていれば（Ｓ７：ＹＥＳ）、測定結果を表示する（Ｓ９）。具体的には、液晶表示部１９に対してＳ１で計測した心電図とＳ４にて識別した誘導とを表示させ、ＬＥＤ表示部２１を青色に点灯させる。
【００４６】
次に、記録部４１に心電図、誘導（姿勢を示す角度情報）、Ｒ波高、ソースインピーダンスの各情報を測定時刻と対応付けて記録する（Ｓ１０）。その後、Ｓ１０にて記録した各情報を図示しないサーバ装置に送信する（Ｓ１１）。その後、本処理を終了する。
【００４７】
（３）効果
本実施例の心電計１は、容量性結合型電極である正電極１３および負電極１５を用いて心電信号を取得することができるため、心電信号を取得するために電極を胸部などに直接接触させる必要がなく、衣服を捲り上げることなく様々な場所で簡便に使用することができる。
【００４８】
また本実施例の心電計１は、筐体１１の姿勢に基づいて誘導を識別するため、心電計１を接触させる胸部の位置を誤ったりその接触位置がずれたりすることを抑制できる。
また本実施例の心電計１は、計測した心電図のＲ波高、筐体１１の動き（静止の度合）、誘導（筐体１１の姿勢）、およびソースインピーダンスに基づいて心電計測の信頼性を判定できるため、操作の簡便性を有しつつ不適切な計測を行ってしまうことを抑制して、信頼性の高い計測結果を出力することができる。
【００４９】
また本実施例の心電計１は、計測の信頼性が低い場合にその問題点や解決策を液晶表示部１９、ＬＥＤ表示部２１、音声出力部３９などから出力するため、被測定者は計測方法を修正することができる。
【００５０】
また、液晶表示部１９および４つのＬＥＤ表示部２１は、筐体１１の表面において互いに表示方向を異ならせて配置されるため、外部からそれらのいずれかを視認することが容易になる。その結果、被測定者が正しい位置に筐体１１を配置して心電計測をしようとして筐体１１の姿勢を変化させたときに、被測定者がその表示を視認できなくなることが抑制できる。
【００５１】
さらに、本実施例では筐体１１の姿勢から判断して鉛直方向上側に位置するＬＥＤ表示部２１に点滅表示を行わせることから、必要な部分のみ点滅させることでエネルギーの消費量を低減できる。なお、被測定者が確実に視認できるように、全てを点滅させる構成としてもよい。
【００５２】
また、心電計１では筐体１１の裏側面１１ｂ上に同一平面上に並ぶように正電極１３および負電極１５が並べられているため、裏側面１１ｂを人体側に当てることで両方の電極を人体に近接させることができ、心電計測を簡便に行うことができる。
【００５３】
本実施例の心電計１は、直接胸部に接触させても心電図を計測することができる。なおその場合には、胸部がＧＮＤ電極１７と接触するため、筐体１１を手で掴まなくとも心電信号のノイズ低減を行うことができる。
【００５４】
［変形例］
以上本発明の実施例について説明したが、本発明は、上記実施例に何ら限定されることはなく、本発明の技術的範囲に属する限り種々の形態をとり得ることはいうまでもない。
【００５５】
例えば、上記実施例においては、容量性結合型電極として正電極１３および負電極１５の２つを備える構成を例示したが、少なくとも２つの容量性結合型電極を有していればよい。３つ以上の容量性結合型電極を備える場合は、例えば、電極の組み合わせパターンごとに図４のＳ１〜Ｓ６の処理を実行して、最適な組み合わせを選択するように構成することが考えられる。
【００５６】
また上記実施例においては、筐体１１の４つの側面に一つずつＬＥＤ表示部２１を配置し、表側面１１ａに液晶表示部１９を配置する構成を例示した。しかしながらそれらの配置や配置する数は実施例の構成に限定されない。また側面に液晶表示画面を設置し、画像や文章を表示するように構成してもよい。
【００５７】
また上記実施例においては、図４のＳ６においてＲ波高、筐体１１の動き、誘導、およびソースインピーダンスの各項目ごとに信頼性の高低を判別し、全ての項目で信頼性が高いと判定された場合のみ心電計測の信頼性が良好であると判定する構成を例示したが、全ての項目を行う必要はなく、いずれか１つ以上の項目を判定する構成であってもよい。
【００５８】
また各項目は信頼性を高低の２段階で評価する構成でなくともよく、項目ごとに信頼性を数値化して、その数値に基づいて信頼性の良否を判定する構成であってもよい。
例えば、誘導については、筐体１１の姿勢を示す角度が基準姿勢の角度に近いほど信頼性の数値を高く判定することが考えられる。また筐体１１の動きについては、その動きの度合が小さいほど信頼性の数値を高く判定することが考えられる。またソースインピーダンスについては、その値が小さいほど信頼性の数値を高く判定することが考えられる。
【００５９】
そして、例えば各項目の信頼性数値の合計が所定の閾値を超えるか否かにより信頼性の良否を判定する構成が考えられる。またその数値の合計に応じて、液晶表示部１９やＬＥＤ表示部２１の表示態様が様々に変化するように構成されていてもよい。例えば信頼性数値が高いほどＬＥＤ表示部２１の色が青色に近く、信頼性数値が低いほど赤色に近く表示することが考えられる。
【００６０】
また、信頼性の判定と心電図の計測および記録とを同時に連続的に実行するように構成してもよい。信頼性の判定結果があれば、心電図における信頼性が高い部分のみ利用することができる。またこのように構成する場合、心電計１を上着の胸ポケットに入れておくことで、無意識に連続的に心電の計測が可能になる。
【００６１】
また上記実施例においては、図４のＳ６において誘導が不適当な場合に信頼性不良とする構成を例示したが、誘導が不適当であることのみを条件として信頼性不良と判定せず、識別した誘導を、他の項目の判定が不良である場合にＬＥＤ表示部２１や液晶表示部１９を用いて適切な誘導に案内するために利用する構成としてもよい。
【００６２】
また上記実施例においては、心電計１の筐体１１が略直方体である構成を例示したが、この形状に限定されることなく、様々な形状とすることができる。例えば棒状や円盤状に形成することができる。
【００６３】
また上記実施例においては、筐体１１は導電性を有する構成を例示したが、導電性を有さない構成でもよい。その場合には、容量性結合型電極をＧＮＤ電極１７としてもよいし、ＧＮＤ電極１７の人体との接触部のみ筐体１１の外部に設けられるように構成してもよい。なお、実施例の心電計１のように、ＧＮＤ電極１７を筐体１１表面の２面以上に設けることで、より確実に人体と接触させることができる。
【００６４】
また上記実施例の心電計１は、筐体１１内に設けられたＣＰＵ２９等の部品により心電図計測や信頼性の判定などの処理を行う構成を例示したが、処理の一部を筐体１１の外部に設けられた装置で行うように構成してもよい。
【００６５】
例えば、心電計は筐体と、筐体と無線通信する処理装置とからなり、筐体が正電極、負電極、ＧＮＤ電極、印加電圧駆動部、および通信部を備えており、検出信号が処理装置に送信されて処理装置で心電図計測および信頼性判定の処理を行うように構成してもよい。
【符号の説明】
【００６６】
１１…筐体、１３…正電極、１５…負電極、１７…ＧＮＤ電極、１９…液晶表示部、２１…ＬＥＤ表示部、２９…ＣＰＵ、３３…印加電圧駆動部、３５…加速度センサ
【図１】
2014223184.tif 000003
【図２】
2014223184.tif 000004
【図３】
2014223184.tif 000005
【図４】
2014223184.tif 000006
【図５】
2014223184.tif 000007
【図６】
2014223184.tif 000008